(57)【要約】【課題】ユーザーはシリーズのコンテンツを毎回携帯型再生装置で視聴するとは限らないため、同じシリーズの未再生コンテンツを選択する従来の選択方式では、ユーザーにとって不要なコンテンツもダウンロードしてしまう課題があった。【解決手段】同一の分類に属するＡＶデータの据置型記録再生装置における記録頻度と、携帯型記録再生装置における再生頻度を推定し、記録頻度と再生頻度が高いと推定される未視聴のＡＶデータを選択して携帯型記録再生装置にダウンロードする。【選択図】図６
2010257522.tif 000002
【特許請求の範囲】
【請求項１】
ＡＶデータを受信し記録し、前記記録したＡＶデータを他の記録再生装置に対して送信する記録再生装置において、
ＡＶデータの分類を行う分類手段と、
記録した前記ＡＶデータに対して前記分類手段により分類を行い、前記ＡＶデータの記録頻度をそれぞれの分類ごと推定する記録頻度推定手段と、
前記記録頻度が所定の頻度よりも高く、かつ未視聴であると判断されたＡＶデータを優先して選択するＡＶデータ選択手段と、
前記ＡＶデータ選択手段により選択されたＡＶデータを、前記他の記録再生装置に対して転送することを特徴とする記録再生装置。
【請求項２】
前記記録頻度推定手段は、前記ＡＶデータに対応する録画予約情報に基づいて記録頻度を推定することを特徴とする請求項１に記載の記録再生装置。
【請求項３】
前記記録再生装置は、さらに、
前記他の記録再生装置に転送されたＡＶデータの再生履歴情報を取得して記録する再生履歴記録手段と、
前記転送されたＡＶデータの前記他の記録再生装置における再生頻度を前記再生履歴情報をもとに推定する再生頻度推定手段とを備え、
前記ＡＶデータ選択手段は、前記記録頻度が所定の頻度によりも高く、前記再生頻度が所定の頻度よりも高く、未視聴であると判断されたＡＶデータを優先して選択することを特徴とする請求項１に記載の記録再生装置。
【請求項４】
前記記録頻度推定手段は、前記ＡＶコンテンツを配信する配信情報に基づいて、ＡＶデータの配信頻度をそれぞれの分類ごとに推定したものを記録頻度として用いることを特徴とする請求項１に記載の記録再生装置。
【請求項５】
第２の記録再生装置からＡＶデータを受信し再生する記録再生装置において、
ＡＶデータの分類を行う分類手段と、
前記第２の記録再生装置に記録されたＡＶデータに対して前記分類手段により分類を行い、前記ＡＶデータの記録頻度をそれぞれの分類ごとに推定する記録頻度推定手段と、
再生したＡＶデータの再生履歴を記録する再生履歴記録手段と、
記録されているＡＶデータに対して前記分類手段により分類を行い、ＡＶデータの再生頻度をそれぞれの分類ごとに、前記再生履歴に基づいて推定する再生頻度推定手段と、
前記記録頻度推定手段により推定された記録頻度が所定の頻度よりも高く、前記再生頻度推定手段により推定された再生頻度が所定の頻度よりも高く、前記第２の記録再生装置に記録されたＡＶデータのうち未視聴であると判断されたＡＶデータを優先して選択するＡＶデータ選択手段と、
前記ＡＶデータ選択手段により選択されたＡＶデータを受信して記録する記録再生手段とを備えることを特徴とする記録再生装置。
【請求項６】
前記再生履歴記録手段は、ＡＶデータの再生時間をそれぞれの分類ごとに合計したものを再生履歴として記録し、前記再生頻度推定手段は、それぞれの分類ごとに合計したＡＶデータの再生時間が長いものほど再生頻度が高いと推定することを特徴とする請求項５に記載の記録再生装置。
【請求項７】
ＡＶデータを送信する送信側記録再生装置と、前記ＡＶデータを受信する受信側記録再生装置とからなるＡＶデータ転送システムにおいて、
前記送信側記録再生装置に記録したＡＶデータを分類する分類手段と、
前記分類手段により分類したそれぞれの分類ごとにＡＶデータの記録頻度を推定する記録頻度推定手段と、
前記受信側記録再生装置で再生したＡＶデータの再生履歴を記録する再生履歴記録手段と、
前記分類手段により分類したそれぞれの分類ごとにＡＶデータの再生頻度を、前記再生履歴に基づいて推定する再生頻度推定手段と、
前記記録頻度が高く、前記再生頻度が高く、未視聴であると判断されたＡＶデータを優先して選択するＡＶデータ選択手段と、
前記ＡＶデータ選択手段により選択されたＡＶデータを前記送信側記録再生装置から前記受信側記録再生装置に対して転送する送受信手段とからなることを特徴とするＡＶデータ転送システム。
【発明の詳細な説明】
【技術分野】
【０００１】
本発明は、据置型記録再生装置に記録されたコンテンツを選択して携帯型記録再生装置に転送する記録再生システムに関するものである。
【背景技術】
【０００２】
近年、家庭内の装置をネットワークで接続し、各種コンテンツの共有を図る家庭内ネットワークが実現されつつある。
【０００３】
このようなコンテンツ共有において、例えばハードディスクレコーダのような宅内に設置された据置型記録再生装置に記録されたコンテンツを、ネットワークを介して携帯電話などの携帯型記録再生装置に転送（ダウンロードとも呼ばれる）し、この携帯型記録再生装置を宅外に持ち出してコンテンツを利用することが行われている。
【０００４】
一般に携帯型記録再生装置は据置型記録再生装置に比較して記録用のメモリーが少ないため、持ち出すコンテンツを必要最低限にする必要がある。このため、据置型記録再生装置に蓄積されているコンテンツを携帯型記録再生装置に転送する場合には、持ち出すコンテンツをユーザーが明示的に選択したり、または、据置型記録再生装置または携帯型記録再生装置が自動的に選択する必要がある。さらに、通信時間の観点からも、転送するコンテンツは必要最小限に絞り込むことが望ましい。
【０００５】
このようにコンテンツを絞り込む方法として、放送されている番組である放送コンテンツを携帯型再生装置で持ち出す場合に、据置型録画装置と携帯型再生装置との間で自動的に放送コンテンツを選択してダウンロードする方法が開発されている（特許文献１）。
【０００６】
図１５は、このような従来の記録再生システムにおいて、携帯型再生装置に転送すべき放送コンテンツを自動的に選択して携帯型再生装置に保存する処理を示す流れ図である。
【０００７】
まず、据置型録画装置は、携帯型再生装置に保存されている放送コンテンツについてのメタデータを携帯型再生装置から取得する（Ｓ９０１）。
【０００８】
次に、取得したメタデータを使用して携帯型再生装置に保存された放送コンテンツの中の再生済みの放送コンテンツと同じシリーズの次回に該当する放送コンテンツを検索する（Ｓ９０２）。
【０００９】
該当する放送コンテンツが検索されたかどうかを判定し（Ｓ９０３）、検索された場合には（Ｓ９０３でＹＥＳに進み）、該当する放送コンテンツが携帯型再生装置に保存済みかどうかを判定する（Ｓ９０４）。
【００１０】
保存済みでない場合には（Ｓ９０４でＮＯに進み）、さらに再生済みの放送コンテンツかどうかを判定する（Ｓ９０５）。
【００１１】
再生済みでない場合には（Ｓ９０５でＮＯに進み）、携帯型再生装置に保存する（Ｓ９０６）。
【００１２】
さらに追加保存が可能か判定し（Ｓ９０７）、追加保存が可能であれば（Ｓ９０７でＹＥＳに進み）、Ｓ９０２からＳ９０６の処理を繰り返す。
【先行技術文献】
【特許文献】
【００１３】
【特許文献１】特開２００７−８９１７８号公報
【発明の概要】
【発明が解決しようとする課題】
【００１４】
しかしながら、このような従来の記録再生装置では、同じシリーズの次回に該当する未再生コンテンツを自動的に選択して携帯型再生装置に保存しているが、同じシリーズと分類された放送コンテンツでも、ユーザーが毎回携帯型再生装置で視聴するとは限らないため、ユーザーにとって不要な放送コンテンツも保存されるという課題があった。
【課題を解決するための手段】
【００１５】
上記の課題を解決するために、本発明の記録再生装置は、受信したＡＶデータを記録し、他の記録再生装置に対して送信する記録再生装置において、ＡＶデータの分類を行う分類手段と、記録した前記ＡＶデータに対して分類を行い、ＡＶデータの記録頻度をそれぞれの分類ごと推定する記録頻度推定手段と、前記記録頻度が所定の頻度よりも高く、かつ未視聴であると判断されたＡＶデータを優先して選択するＡＶデータ選択手段と、前記ＡＶデータ選択手段により選択されたＡＶデータを、前記他の記録再生装置に対して転送するように構成する。
【００１６】
さらに、前記他の記録再生装置に転送されたＡＶデータの再生履歴情報を取得して記録する再生履歴記録手段と、前記転送されたＡＶデータの前記他の記録再生装置における再生頻度を前記再生履歴情報をもとに推定する再生頻度推定手段とを備え、前記ＡＶデータ選択手段は、前記記録頻度が所定の頻度よりも高く、前記再生頻度が所定の頻度よりも高く、未視聴であると判断されたＡＶデータを優先して選択するように構成しても構わない。
【発明の効果】
【００１７】
本発明の記録再生装置によれば、ユーザーが携帯型記録再生装置で利用する可能性の高いＡＶデータを優先して選択することができ、据置型記録再生装置から携帯型記録再生装置に対して転送すべきＡＶデータを効果的に絞り込むことが可能になり、転送に要する通信時間を短縮し、携帯型記録再生装置の記録用メモリーを効率的に利用することができる。
【図面の簡単な説明】
【００１８】
【図１】実施の形態１における記録再生システムの構成を示す図
【図２】実施の形態１における据置型記録再生装置の構成を示すブロック図
【図３】実施の形態１における予約録画情報の構成を示す図
【図４】実施の形態１における再生履歴情報の構成を示す図
【図５】実施の形態１における頻度情報の構成を示す図
【図６】実施の形態１における転送処理の全体シーケンスを示すフローチャート
【図７】実施の形態１における記録頻度推定処理の詳細を示すフローチャート
【図８】実施の形態１における再生頻度推定処理の詳細を示すフローチャート
【図９】実施の形態１におけるＡＶデータ選択処理の詳細を示すフローチャート
【図１０】実施の形態２における記録再生システムの構成を示す図
【図１１】実施の形態２における携帯型記録再生装置の構成を示すブロック図
【図１２】実施の形態２における転送処理の全体シーケンスを示すフローチャート
【図１３】実施の形態２における記録頻度推定処理の詳細を示すフローチャート
【図１４】実施の形態３におけるＡＶデータ転送システムの構成を示す図
【図１５】従来の記録再生システムにおける転送処理を示すフローチャート
【発明を実施するための形態】
【００１９】
以下に、本発明の実施の形態について図面を参照して説明する。
【００２０】
（実施の形態１）
本発明の実施の形態１について以下に説明する。
【００２１】
図１は、本実施の形態における記録再生システムの構成を示す図である。
【００２２】
図１において、記録再生ステムは、据置型記録再生装置１（例えばＨＤＤレコーダ）、携帯型記録再生装置２（例えば携帯プレーヤ）から構成され、据置型記録再生装置１と携帯型記録再生装置２とは家庭内ネットワークを介して接続される。
【００２３】
据置型記録再生装置１は、デジタルチューナを内蔵しており、デジタルチューナにより放送コンテンツを受信してＡＶデータとして属性情報と共にＨＤＤ（Ｈａｒｄ  Ｄｉｓｋ  Ｄｒｉｖｅ）に記録する。記録されたＡＶデータと属性情報とは据置型記録再生装置１により再生されたり、また、家庭内ネットワークを介して、携帯型記録再生装置２に出力される。この据置型記録再生装置１の記録媒体は、ＨＤＤには限定されず、可搬型の記録媒体であっても構わない。ここで記録する属性情報は、放送コンテンツに付随して放送された、放送コンテンツの種別、名称、放送時刻、放送時間、放送間隔など、放送コンテンツの内容や種類、再生時間などを含む、記録したＡＶデータに関した情報である。
【００２４】
携帯型記録再生装置２は、据置型記録再生装置１から受信したＡＶデータ及び属性情報を携帯型記録再生装置２に内蔵または接続されたフラッシュメモリーに記録する。携帯型記録再生装置２を宅外に持ち出して、フラッシュメモリーに記録されたＡＶデータを再生することで、宅外で視聴することができる。再生されたＡＶデータについては、その再生履歴を属性情報としてフラッシュメモリーに記録し、据置型記録再生装置１から再生履歴情報が要求された場合に、携帯型記録再生装置２は再生履歴が含まれた属性情報を送信する。
【００２５】
図２は、据置型記録再生装置１の主要な構成を示すブロック図である。
【００２６】
据置型記録再生装置１は、デジタルチューナ１１、分類処理部１２、予約録画管理部１３、再生頻度推定部１４、記録頻度推定部１５、再生履歴管理部１６、記録再生制御部１７、ＨＤＤ１８、ＡＶデータ選択処理部１９、ネットワーク送受信部２０とから構成される。
【００２７】
デジタルチューナ１１は、ＡＶデータを受信するＡＶデータ手段である。
【００２８】
分類処理部１２は、ＡＶデータを分類する分類手段である。
【００２９】
再生頻度推定部１４は、ネットワークを通じて接続された携帯型再生装置２から転送されたＡＶデータの再生頻度をもとにＡＶデータの再生頻度を推定する再生頻度推定手段である。
【００３０】
予約録画管理部１３は、予約録画情報１３０を管理し、記録再生制御部の指示に従って、放送コンテンツの予約録画を行うように、デジタルチューナ１１に対して予約録画情報１３０を出力する。図示しない入力手段などで放送コンテンツの予約録画が設定されると、この予約録画情報１３０に放送コンテンツの録画開始、終了時刻等が記録される。
【００３１】
記録頻度推定部１５は、ＡＶデータの記録頻度を推定する記録頻度推定手段である。
【００３２】
記録再生制御部１７及びＨＤＤ１８は、ＡＶデータを記録再生する記録再生手段である。
【００３３】
ネットワーク送受信部２０は、ＡＶデータをネットワークを介して送信するＡＶデータ送信手段である。このネットワークは、家庭内のネットワークであっても構わない。
【００３４】
なお、本実施の形態において、ＡＶデータの再生履歴を記録する再生履歴記録手段は携帯型記録再生装置２に実装されている。
【００３５】
図３は、据置型記録再生装置１の予約録画管理部１３において管理される予約録画情報１３０の構成を示す図である。
【００３６】
予約録画情報１３０は、予約番号１３１、録画チャンネル１３２、プログラム予約モード１３３、録画開始時刻１３４、録画終了時刻１３５から構成される。
【００３７】
予約番号１３１は、録画予約する番組を識別するための番号である。録画チャンネル１３２は、録画予約する番組の放送チャンネルである。プログラム予約モード１３３は、録画予約する番組の予約する曜日や日付などの情報を表す。録画開始時刻１３４は、録画予約の開始時刻である。録画終了時刻１３５は、録画予約の終了時刻である。
【００３８】
図４は、据置型記録再生装置１の再生頻度推定部１４において処理される携帯型記録再生装置２における再生履歴情報１４０の構成を示す図である。
【００３９】
再生履歴情報１４０は、番組番号１４１、分類種別１４２、再生日時１４３、再生時間１４４から構成される。
【００４０】
番組番号１４１は、録画された番組を識別するための番号である。分類種別１４２は、録画された番組を分類するための種類を表す。再生日時１４３は、録画された番組を再生した時刻を表す。再生時間１４４は、録画された番組を再生した時間を表す。
【００４１】
図５は、据置型記録再生装置１のＡＶデータ選択処理部１９において処理される頻度情報１９０の構成を示す図である。
【００４２】
頻度情報１９０は、放送番組の録画の頻度を表す記録頻度と、再生の頻度を表す再生頻度が含まれており、分類番号１９１、分類種別１９２、記録頻度１９３、再生頻度１９４から構成される。
【００４３】
分類番号１９１は、録画された番組のうち同じ分類とされた番組の分類を区別するための番号である。分類種別１９２は、録画された番組を分類するための種類を表す。記録頻度１９３は、同じ分類とされた番組を単位時間に記録する頻度である。本実施の形態では、記録頻度１９３は一週間に何回記録されたかを例に用いる。再生頻度１９４は、同じ分類とされた番組を単位時間にどの程度再生されたかを示す。本実施の形態では、再生頻度１９４は、一週間に再生された時間を例に用いる。
【００４４】
予約録画管理部１３はユーザーに設定された予約録画情報１３０に基づいてデジタルチューナ１１及び記録再生制御部１７を制御して予約録画を実行させる。予約録画の実行時には、記録したＡＶの属性情報として対応する予約録画情報もＨＤＤ１８に記録させる。
【００４５】
デジタルチューナ１１は放送コンテンツをＡＶデータとして受信し、受信したＡＶデータと属性情報とを記録再生制御部１７に出力してＨＤＤ１８に記録させる。また受信した属性情報を分類処理部１２に出力する。また、予約録画管理部１３の制御を受け、予約された時間に、予約された放送コンテンツを受信する。
【００４６】
放送コンテンツは、電波などで放送される放送番組、インターネットなどの通信回線を通じて送信されるＩＰ番組、コンテンツを蓄積したサーバから放送コンテンツをダウンロードする蓄積型コンテンツ、ＶＯＤなどのどのような形態であっても構わない。
【００４７】
属性情報は、放送コンテンツの分類を表す分類種別情報や、放送コンテンツの名称、放送時刻、放送時間、放送間隔など、放送コンテンツの内容や種類、再生時間などを含んだ記録したＡＶデータに関した情報である。
【００４８】
分類処理部１２は、入力された属性情報によってＡＶデータを分類し、分類した結果の分類種別を記録再生制御部１７に出力して、ＡＶデータの属性情報としてＨＤＤ１８に記録させる。ここでは、属性情報として、放送コンテンツの種別と名称を利用し、同一種別かつ同一名称のＡＶデータを同一分類種別として分類し、該当のＡＶデータの属性情報として分類種別と分類番号を付与する。
【００４９】
記録再生制御部１７はＨＤＤ１８を制御し、ＡＶデータ及びその属性情報を記録再生させる。
【００５０】
ＨＤＤ１８はＡＶデータ及びその属性情報を記録再生する。
【００５１】
記録頻度推定部１５は、記録再生制御部１７を介してＡＶデータの属性情報を取得し、属性情報に含まれる分類種別と予約録画情報のプログラム予約モードとから、分類種別ごとに、同一分類に属するＡＶデータの１週間あたりの記録頻度を計算し、ＡＶデータ選択処理部１９に出力する。図３に示す予約録画情報１３０では、プログラム予約モード１３３の「日−土」は日曜日から土曜日までの期間を表し週に７回として、「月−土」は月曜日から土曜日までの期間を表し週に６回として、「火曜」、「水曜」と曜日を指定しているものは週に１回の記録頻度として計算する。その他にも、特定の曜日を複数指定する表し方をしてもよく、例えば「月曜、水曜、金曜」などと表した場合には、週に３回の記録頻度として計算する。
【００５２】
再生履歴管理部１６は、据置型記録再生装置１におけるＡＶデータの再生の有無を再生履歴情報として管理し、ＡＶデータの属性情報として記録再生制御部１７を介してＨＤＤ１８に記録させる。
【００５３】
ネットワーク送受信部２０は、ネットワークを介して携帯型記録再生装置２にＡＶデータ及び属性情報を出力し、また、ネットワークを介して携帯型記録再生装置２から再生履歴情報を受信する。
【００５４】
再生頻度推定部１４は、ネットワーク送受信部２０を介して受信した携帯型記録再生装置２における再生履歴情報１４０を取得し、分類種別ごとに、同一分類に属するＡＶデータの再生日時１４３と再生時間１４４から１週間あたりの再生時間を計算し、再生頻度として、ＡＶデータ選択処理部１９に出力する。
【００５５】
ＡＶデータ選択処理部１９は、記録再生制御部１７を介して取得したＡＶデータの属性情報に含まれる分類種別と再生履歴情報と、再生頻度推定部１４から送られた再生頻度と、記録頻度推定部１５から送られた記録頻度とに基づいて、ＨＤＤ１８に記録されたＡＶデータを携帯型記録再生装置２への転送対象として選択するか判定する。転送対象として選択したＡＶデータがあれば、ＡＶデータ選択処理部１９は記録再生制御部１７を制御して転送対象のＡＶデータと属性情報とをネットワーク送受信部２０を介して携帯型記録再生装置２に転送させる。
【００５６】
以上のように構成された記録再生システムの動作について以下に説明する。
【００５７】
＜全体シーケンス＞
図６は据置型記録再生装置１に記録されているＡＶデータを選択して、携帯型記録再生装置２に転送する処理の全体シーケンスを示すフローチャートである。
【００５８】
まず、据置型記録再生装置１は分類種別ごとの記録頻度を計算し（Ｓ１０１）、続いて、携帯型記録再生装置２に再生履歴要求を送信する（Ｓ１０２）。
【００５９】
携帯型記録再生装置２は記録されている再生履歴情報１４０を検索して（Ｓ１０３）、据置型記録再生装置１に送信する（Ｓ１０４）。
【００６０】
据置型記録再生装置１は受信した再生履歴情報１４０から分類種別ごとの再生頻度を計算し（Ｓ１０５）、記録頻度と再生頻度に基づいて、ＡＶデータを選択し（Ｓ１０６）、選択したＡＶデータと属性情報を携帯型記録再生装置２に送信して保存させる（Ｓ１０７）。
【００６１】
＜記録頻度推定処理＞
図７は記録頻度推定処理（Ｓ１０１）の詳細を示すフローチャートである。
【００６２】
記録頻度推定部１５は、まず、未処理の分類種別を選択し（Ｓ２０１）、未処理のＡＶデータを選択して（Ｓ２０２）、該当するＡＶデータの予約録画情報を取得（Ｓ２０３）、該当する分類種別の録画頻度を更新する（Ｓ２０４）。
【００６３】
すべてのＡＶデータについて処理したか判定し（Ｓ２０５）、未処理のＡＶデータがあれば、Ｓ２０２から処理を繰り返す（Ｓ２０５でＮＯに進む）。
【００６４】
すべてのＡＶデータについて処理した場合は、すべての分類種別について処理したか判定し（Ｓ２０６）、未処理の分類種別があれば、Ｓ２０１から処理を繰り返し（Ｓ２０６でＮＯに進む）、すべての分類種別について処理した場合は処理を終了する。
【００６５】
＜再生頻度推定処理＞
図８は再生頻度推定処理（Ｓ１０５）の詳細を示すフローチャートである。
【００６６】
再生頻度推定部１４は、まず、未処理の分類種別を選択し（Ｓ３０１）、未処理のＡＶデータを選択して（Ｓ３０２）、該当するＡＶデータの再生履歴情報を取得し（Ｓ３０３）、該当する分類種別の再生頻度を更新する（Ｓ３０４）。
【００６７】
すべてのＡＶデータについて処理したか判定し（Ｓ３０５）、未処理のＡＶデータがあれば、Ｓ３０２から処理を繰り返す（Ｓ３０５でＮＯに進む）。
【００６８】
すべてのＡＶデータについて処理した場合は、すべての分類種別について処理したか判定し（Ｓ３０６）、未処理の分類種別があれば、Ｓ３０１から処理を繰り返し（Ｓ３０６でＮＯに進む）、すべての分類種別について処理した場合は処理を終了する。
【００６９】
＜ＡＶデータ選択処理＞
図９はＡＶデータ選択処理部１９で実行されるＡＶデータ選択処理（Ｓ１０６）の詳細を示すフローチャートである。
【００７０】
ＡＶデータ選択処理部１９は、取得した属性情報に含まれる再生履歴情報によって未再生のＡＶデータの属性情報を検索し（Ｓ４０１）、検索した属性情報に含まれる分類種別に対応する記録頻度を頻度情報１９０から検索して取得する（Ｓ４０２）。
【００７１】
取得した記録頻度が所定値（本実施の形態では７とする）以上かどうか判定し（Ｓ４０３）、所定値以上であれば、分類種別に対応する再生頻度を、頻度情報１９０から検索して取得する（Ｓ４０３でＹＥＳに進む。Ｓ４０４）。
【００７２】
取得した再生頻度が所定値（本実施の形態では１時間）以上かどうか判定し（Ｓ４０５）、所定値以上であれば該当するＡＶデータを選択する（Ｓ４０５でＹＥＳに進む。Ｓ４０６）。
【００７３】
最後にすべての未再生ＡＶデータについて選択処理を実行したか判定し（Ｓ４０７）、未処理のＡＶデータがあればＳ４０１から処理を繰り返し（Ｓ４０７でＮＯに進む）、すべてのＡＶデータについて処理した場合はＡＶデータ選択処理を終了する。
【００７４】
図５に示す頻度情報１９０の場合、「ニュース＃Ｎ」と分類されるＡＶデータが未再生であれば、記録頻度が週７回以上であり、かつ再生頻度が週１時間以上であるため、転送対象として選択される。
【００７５】
以上のように、本実施の形態における据置型記録再生装置では、記録したＡＶデータを分類する分類手段と、同一分類に属するＡＶデータの記録頻度を推定する記録頻度推定手段を備え、記録頻度に基づいて転送すべきＡＶデータを選択するため、記録再生装置における記録頻度が高く、ユーザーがすぐに視聴したいと推定されるＡＶデータを選択することができる。
【００７６】
また、本実施の形態における据置型記録再生装置は、さらに、ネットワークを介して接続された携帯型記録再生装置から再生履歴情報を取得する再生履歴記録手段を備え、同じ分類種別のＡＶデータの携帯型記録再生装置における再生頻度も評価してＡＶデータを選択するため、ユーザーが携帯型記録再生装置で視聴したいＡＶデータであるかどうかを、さらに正確に推定することができる。
【００７７】
なお、本実施の形態において、予約録画情報から記録頻度を推定しているが、記録されているＡＶデータの分類種別と記録日時から記録頻度を推定してもよい。
【００７８】
なお、本実施の形態について放送番組をデジタルチューナ１１を通じて受信して、ＡＶデータとして記録することについて説明したが、ネットワークを通じて放送コンテンツや、ＡＶデータを受信して、ＡＶデータとしてＨＤＤ１８に記録するように構成しても構わない。
【００７９】
（実施の形態２）
本発明の実施の形態２について以下に説明する。
【００８０】
図１０は、実施の形態２における記録再生システムの構成を示す図である。
【００８１】
図１０において、記録再生ステムは、据置型記録再生装置５１（ＨＤＤレコーダ）、携帯型記録再生装置５２（携帯プレーヤ）から構成され、据置型記録再生装置５１と携帯型記録再生装置５２とは家庭内ネットワークを介して接続される。
【００８２】
据置型記録再生装置５１は、デジタルチューナを内蔵しており、デジタルチューナにより放送コンテンツを受信してＡＶデータとして属性情報と共にＨＤＤに記録する。また、受信した電子番組情報もＨＤＤに記録する。さらに、据置型記録再生装置５１は、携帯型記録再生装置５２からのデータ取得要求に応じて、記録したＡＶデータ、属性情報、電子番組情報を家庭内ネットワークを介して、携帯型記録再生装置５２に出力する。本実施の形態における据置型記録再生装置５１は、分類手段を有さないため、出力する属性情報に、分類種別及び分類番号は含まない。
【００８３】
携帯型記録再生装置５２は、据置型記録再生装置５１から受信した属性情報及び電子番組情報を使用して、据置型記録再生装置５１から携帯型記録再生装置５２に対して転送すべきＡＶデータを選択し、選択したＡＶデータを属性情報と共に携帯型記録再生装置５２から転送してフラッシュメモリーに記録する。携帯型記録再生装置５２を宅外に持ち出して、フラッシュメモリーに記録されたＡＶデータを再生することで、宅外で視聴することができる。
【００８４】
図１１は、本実施の形態における携帯型記録再生装置５２の主要な構成を示すブロック図である。
【００８５】
携帯型記録再生装置５２は、ネットワーク送受信部６０、分類手段である分類処理部６１、記録頻度推定部６２、再生頻度推定部６３、再生履歴記録部６４、記録再生制御部６５、フラッシュメモリー６６、ＡＶデータ選択処理部６７とから構成される。
【００８６】
分類処理部６１は、ＡＶデータを分類する分類手段である。ここでは、属性情報として、放送コンテンツの種別と名称を利用し、同一種別かつ同一名称のＡＶデータを同一分類種別として分類し、該当のＡＶデータの属性情報として分類種別と分類番号を付与する。
【００８７】
記録頻度推定部６２は、ＡＶデータの記録頻度を推定する記録頻度推定手段である。
【００８８】
再生頻度推定部６３は、ＡＶデータの再生頻度を推定する再生頻度推定手段である。
【００８９】
再生履歴記録部６４は、ＡＶデータの再生履歴を記録する再生履歴記録手段である。
【００９０】
記録再生制御部６５及びフラッシュメモリー６６は、ＡＶデータを記録再生する記録再生手段である。
【００９１】
ＡＶデータ選択処理部６７は、ＡＶデータを選択するＡＶデータ選択手段である。
【００９２】
ネットワーク送受信部６０は、ネットワークを介して据置型記録再生装置５１に対して、属性情報の要求、電子番組情報の要求、ＡＶデータの要求を送信する。さらに、これら要求に応じて据置型記録再生装置５１から転送された属性情報、電子番組情報、ＡＶデータを受信して記録再生制御部６５に出力する。また、属性情報は分類処理部６１にも出力する。
【００９３】
分類処理部６１は、据置型記録再生装置５１を介して受信した属性情報によってＡＶデータを分類し、分類種別を属性情報に追加して記録再生制御部６５を介してフラッシュメモリー６６に保存させる。
【００９４】
記録頻度推定部６２は、フラッシュメモリー６６に保存されている属性情報と電子番組情報とを記録再生制御部６５を介して受信し、分類種別ごとに、該当する番組を電子番組情報から検索し、同一分類に属するＡＶデータの１週間あたりの配信頻度を計算し、据置型記録再生装置５１における記録頻度と見なして、ＡＶデータ選択処理部６７に出力する。
【００９５】
再生頻度推定部６３は、フラッシュメモリー６６に保存されている、携帯型記録再生装置５２における再生履歴情報を記録再生制御部６５を介して受信し、分類種別ごとに、同一分類に属するＡＶデータの再生日時と再生時間から１週間あたりの再生時間を計算し、再生頻度として、ＡＶデータ選択処理部６７に出力する。
【００９６】
再生履歴記録部６４は、携帯型記録再生装置５２において、ＡＶデータが再生された場合、再生日時と再生時間をＡＶデータの属性情報として記録再生制御部６５を介してフラッシュメモリー６６に保存する。
【００９７】
記録再生制御部６５はフラッシュメモリー６６を制御し、ＡＶデータ、ＡＶデータの属性情報、及び電子番組情報をフラッシュメモリー６６に記録し、再生する。
【００９８】
フラッシュメモリー６６はＡＶデータ、ＡＶデータの属性情報、及び電子番組情報を保存する記録再生手段である。
【００９９】
ＡＶデータ選択処理部６７は、記録再生制御部６５を介して取得した属性情報に含まれる分類種別と再生履歴情報と、再生頻度推定部６３から送られた再生頻度と、記録頻度推定部６２から送られた記録頻度とに基づいて、据置型記録再生装置５１から転送すべきＡＶデータを選択する。さらに、ＡＶデータ選択処理部６７は、記録再生制御部６５を制御して、選択したＡＶデータをネットワーク送受信部６０を介して据置型記録再生装置５１に要求し、据置型記録再生装置５１から転送されたＡＶデータと属性情報をフラッシュメモリー６６に記録させる。
【０１００】
上記のように構成された記録再生システムの動作を以下に説明する。
【０１０１】
＜全体シーケンス＞
図１２は本実施の形態におけるＡＶデータの転送処理の全体シーケンスを示すフローチャートである。
【０１０２】
まず、携帯型記録再生装置５２は、据置型記録再生装置５１に対して属性情報を要求し（Ｓ５０１）、据置型記録再生装置５１に記録されているＡＶデータの属性情報を取得する（Ｓ５０２）。
【０１０３】
取得した属性情報に基づいて分類処理を実行し、分類した結果の分類種別を属性情報に追加して保存する（Ｓ５０３）。
【０１０４】
続いて、電子番組情報を要求し（Ｓ５０４）、据置型記録再生装置５１に記録されている電子番組情報を取得する（Ｓ５０５）。
【０１０５】
取得した電子番組情報に基づいて記録頻度推定処理を実行し、推定した結果を保存する（Ｓ５０６）。
【０１０６】
また、再生履歴情報に基づいて再生頻度推定処理を実行し、推定した結果を保存する（Ｓ５０７）。
【０１０７】
最後に、携帯型記録再生装置５２は、再生履歴、記録頻度、及び再生頻度に基づいて据置型記録再生装置５１から転送すべきＡＶデータを選択し（Ｓ５０８）、据置型記録再生装置５１に対して、該当するＡＶデータを送信するように要求する（Ｓ５０９）。そして、ＡＶデータと属性情報を受信して保存する（Ｓ５１０）。
【０１０８】
＜記録頻度推定処理＞
図１３は、本実施の形態における記録頻度推定処理（Ｓ５０６）の詳細を示すフローチャートである。
【０１０９】
記録頻度推定部６２は、まず、未処理の分類種別を選択し（Ｓ６０１）、電子番組情報から分類種別に対応する番組を検索して（Ｓ６０２）、分類種別に対応する番組の配信頻度を計算する（Ｓ６０３）。
【０１１０】
計算した配信頻度を該当する分類種別の録画頻度として保存する（Ｓ６０４）。
【０１１１】
すべての分類種別について推定処理を実行したか判定し（Ｓ６０５）、未処理の分類種別があれば、Ｓ６０１から処理を繰り返し、すべての分類種別について処理した場合は処理を終了する。
【０１１２】
以上のように、本実施の形態における携帯型記録再生装置は、据置型記録再生装置に記録されているＡＶデータの属性情報と、電子番組情報から据置型記録再生装置における記録頻度を推定する記録頻度推定手段を備え、電子番組情報に基づく配信頻度から記録頻度を推定するため、ユーザーが該当する放送コンテンツのプログラム予約を設定していなくても、ＡＶデータの記録頻度を正確に推定することができる。
【０１１３】
また、本実施の形態２における記録再生システムでは、携帯型記録再生装置に転送すべきＡＶデータを選択するＡＶデータ選択機能に固有の機能が、携帯型記録再生装置を集約しているため、ＡＶデータ選択機能を有さない従来の据置型記録再生装置を使用することができる。
【０１１４】
なお、本実施の形態２において、放送で配信される電子番組情報を用いて記録頻度を推定しているが、インターネット等他の手段によって放送コンテンツの放送予定を取得してもよい。
【０１１５】
なお、実施の形態１及び実施の形態２において、所定の条件を満たすＡＶデータをすべて選択しているが、記録頻度または再生頻度で優先順位を設定し、優先順位が上位のＡＶデータに絞り込んでもよい。また、選択したＡＶデータの一覧をユーザーに提示し、ユーザーによる絞込みを実行してもよい。
【０１１６】
また、実施の形態１及び実施の形態２において、記録頻度と再生頻度を固定値と比較しているが、比較する値は、ユーザーが設定してもよいし、記録履歴、再生履歴から自動的に設定してもよい。
【０１１７】
また、実施の形態１及び実施の形態２において、携帯型記録再生装置におけるＡＶデータの再生時間を集計して再生頻度を推定しているが、再生回数を集計してもよい。
【０１１８】
また、実施の形態１及び実施の形態２において、記録頻度及び再生頻度を１週間あたりの頻度を使用しているが、他の時間単位での頻度を使用してもよいし、時間帯もしくは曜日等を限定した記録頻度、再生頻度を使用してもよい。
【０１１９】
また、実施の形態１及び実施の形態２において、記録再生手段としてＨＤＤ及びフラッシュメモリーを用いているが、本発明における記録再生手段はこれらに限定されず、光ディスクドライブ等の他の記録再生手段でもよい。
【０１２０】
また、実施の形態１及び実施の形態２において、分類手段は、属性情報として、放送コンテンツの種別と名称を利用してＡＶデータを分類しているが、分類に仕様する属性情報はこれらに限定されず、他の属性情報の、放送日時、放送時間、放送間隔を使用してもよいし、使用する属性情報や分類する条件をユーザーが設定してもよい。
【０１２１】
さらに、実施の形態１及び実施の形態２において、据置型記録再生装置は放送を受信してＡＶデータを受信しているが、インターネットによるコンテンツ配信などによってＡＶデータを受信してもよい。
【０１２２】
（実施の形態３）
本発明の実施の形態３について以下に説明する。
【０１２３】
図１４は、実施の形態３におけるＡＶデータ転送生システムの構成を示す図である。
【０１２４】
図１４において、ＡＶデータ転送システムは、デジタルチューナ１１、予約録画管理部１３、記録再生制御部１７、ＨＤＤ１８、ネットワーク送受信部２０、ネットワーク送受信部６０、記録再生制御部６５、フラッシュメモリー６６、制御部１４０１、ＡＶデータ分類部１４０２、記録頻度推定部１４０３、ＡＶデータ選択処理部１４０４、再生頻度推定部１４０５とから構成される。
【０１２５】
デジタルチューナ１１、予約録画管理部１３、記録再生制御部１７、ＨＤＤ１８、ネットワーク送受信部２０、ネットワーク送受信部６０、記録再生制御部６５、フラッシュメモリー６６は、上記実施の形態１または実施の形態２で説明した動作を行う。
【０１２６】
ＡＶデータ分類部１４０２は、先述の分類処理部１２または分類処理部６１と同様の動作を行い、デジタルチューナ１１で受信したＡＶデータまたは、ＨＤＤ１８やフラッシュメモリー６６に格納されたＡＶデータの分類を行う。本実施の形態では、属性情報として記録されたＡＶデータの予約情報をもとに、分類を行い、分類種別を定める。定められた分類種別は、ＡＶデータの属性情報としてＨＤＤ１８に記録される。
【０１２７】
記録頻度推定部１４０３は、デジタルチューナ１１により受信され、ＨＤＤ１８に記録されたＡＶデータの記録頻度を推定する。ＡＶデータの属性情報に含まれる分類種別をもとに、同じ分類種別に含まれるＡＶデータについて、一定の期間あたり、例えば一週間あたりの記録頻度を計算し、ＡＶデータ選択処理部１４０４に出力する。この記録頻度は、据置型記録再生装置におけるＡＶデータを記録する頻度を表す。
【０１２８】
再生頻度推定部１４０５は、フラッシュメモリー６６に格納されたＡＶデータの再生頻度を,推定する。フラッシュメモリー６６から読み出したＡＶデータの属性情報に含まれる再生履歴情報と分類種別をもとに、同じ分類種別に含まれるＡＶデータについて、一定の期間あたり、例えば一週間あたりの再生頻度を計算し、ＡＶデータ選択処理部１４０４に出力する。この再生頻度は、携帯型記録再生装置におけるＡＶデータを再生する頻度を表す。
【０１２９】
ＡＶデータ選択処理部１４０４は、据置型記録再生装置におけるＡＶデータの記録頻度と、携帯型記録再生装置におけるＡＶデータの再生頻度とをもとに、それらの頻度が高いものであり、かつ、ＨＤＤ１８に記録されたＡＶデータのうち未視聴と判断されたＡＶデータを選択する。そして、選択されたＡＶデータは、制御部１４０１に送られる。
【０１３０】
さらに、未視聴のＡＶデータ判別部（図示しない）では、ＨＤＤ１８に記録されたＡＶデータのうち、利用者が視聴していないものを判別する。未視聴のＡＶデータであるか否かの判断は、例えば、利用者からの再生指示により再生されたものや、スキップ再生など、操作により何らかの再生が行われたものを視聴済みであるものと判断してもよい。さらには、再生指示を受けても、所定の時間続けて再生したＡＶデータを視聴済みであるものと判断するようにしても構わない。
【０１３１】
制御部１４０１は、ＡＶデータ分類部１４０２、記録頻度推定部１４０３、再生頻度推定部１４０５、ＡＶデータ選択処理部１４０４に対して前述の動作をするように指示を行い、さらに、ＡＶデータ選択部１４０４から選択されたＡＶデータの情報を受け取る。この選択されたＡＶデータの情報をもとに、ネットワーク送受信部２０からネットワーク送受信部６０に対して、選択されたＡＶデータを転送するようにネットワーク送受信部２０とネットワーク送受信部６０に対して指示を行う。
【０１３２】
以上のような動作により、据置型記録再生装置に格納されているＡＶデータのうち記録頻度が高く、また、携帯型記録再生装置に転送されたＡＶデータのうち再生頻度が高いものを、ＡＶデータの分類種別ごと、選択することで、同じＡＶデータの分類種別に分類されたＡＶデータであって、未視聴と判断されたＡＶデータを、据置型記録再生装置から携帯型記録再生装置に対して転送することができる。
【０１３３】
なお、ＡＶデータ分類部１４０２、ＡＶデータ選択処理部１４０４、制御部１４０１については、これらを、据置型記録再生装置や携帯型記録再生装置とは別個の装置として構成しても構わず、また、いずれかの装置に含まれるように構成して、相互の装置で連携を取って動作するように構成することもできる。
【産業上の利用可能性】
【０１３４】
本発明は、据置型記録再生装置に記録されたＡＶコンテンツをネットワーク経由で携帯型記録再生装置に転送して、ＡＶコンテンツを利用する記録再生システムにおいて有用である。
【符号の説明】
【０１３５】
１  据置型記録再生装置（ＨＤＤレコーダ）
２  携帯型記録再生装置（携帯プレーヤ）
１１  デジタルチューナ
１２  分類処理部
１３  予約録画管理部
１４  再生頻度推定部
１５  記録頻度推定部
１７  記録再生制御部
１８  ＨＤＤ
１９  ＡＶデータ選択処理部
２０  ネットワーク送受信部
５１  据置型記録再生装置（ＨＤＤレコーダ）
５２  携帯型記録再生装置（携帯プレーヤ）
６０  ネットワーク送受信部
６１  分類処理部
６２  記録頻度推定部
６３  再生頻度推定部
６４  再生履歴記録部
６５  記録再生制御部
６６  フラッシュメモリー
６７  ＡＶデータ選択処理部
１４０１  制御部
１４０２  ＡＶデータ分類部
１４０３  記録頻度推定部
１４０４  ＡＶデータ選択処理部
１４０５  再生頻度推定部
【図１】
2010257522.tif 000003
【図２】
2010257522.tif 000004
【図３】
2010257522.tif 000005
【図４】
2010257522.tif 000006
【図５】
2010257522.tif 000007
【図６】
2010257522.tif 000008
【図７】
2010257522.tif 000009
【図８】
2010257522.tif 000010
【図９】
2010257522.tif 000011
【図１０】
2010257522.tif 000012
【図１１】
2010257522.tif 000013
【図１２】
2010257522.tif 000014
【図１３】
2010257522.tif 000015
【図１４】
2010257522.tif 000016
【図１５】
2010257522.tif 000017